(57)【要約】  双対移動嵌合補助式コネクタ（１００）は、第１のハウジング（３００）、第２のハウジング（４００）、及び、その端にある２つのカムアームに連結する１つのカムアーム又はブリッジ（８０）を有するレバーを備え、カムアームは、複数の歯を有するピニオン、ボス係合側部スロット及びボス係合正面又は後面スロットからなる群から選択される２つの係合特徴部を有する。カムアームには回動支柱が設けられ、ピニオンは係合ラックの歯に係合し、又は、側部スロットは、支柱スロットから側方にオフセットされるハウジングの単一の係合ボスに係合し、又は、正面若しくは後面スロットは、支柱スロットから前方若しくは後方にオフセットされるハウジングの単一の係合ボスに係合し、レバーは、レバーが初期コネクタ嵌合位置から最終コネクタ嵌合位置まで回転するときに、レバーの回動支柱が第１のハウジング上のガイドスロット内で摺動することを可能にすることによって、コネクタの第１のハウジング及び第２のハウジングの嵌合及び嵌合解除を補助する。【選択図】図２
2016537778.tif 000002
【特許請求の範囲】
【請求項１】
双対移動嵌合補助式コネクタであって：
ａ．上面及び底面並びに接続端を有する第１のハウジングであって、前記上面及び前記底面のそれぞれには、間に凹部を有する複数の歯を有する第１の係合ラックが設けられ、移動可能な回動座部として支柱スロットがそれぞれ設けられる、第１のハウジング；
ｂ．上面及び底面並びに接続端を有する第２のハウジングであって、前記上面及び前記底面には、間に凹部を有する複数の歯を有する第２の係合ラックが設けられる、第２のハウジング；並びに
ｃ．その端にある２つのカムアームに連結する１つのカムアーム又はブリッジを有するレバーであって、各カムアームは、複数の歯を有する第１のピニオン、及び、複数の歯を有する第２のピニオンの組み合わせを有し、前記カムアームには回動支柱が設けられ、該レバーは、該レバーの前記回動支柱が前記第１のハウジング上の前記支柱スロット内で摺動することを可能にすることによって、該コネクタの前記第１のハウジング及び前記第２のハウジングの嵌合及び嵌合解除を補助し、該レバーは、初期コネクタ嵌合位置から最終コネクタ嵌合位置まで複数のギア歯係合の数に応じた範囲内で回転し、前記ピニオンは、前記第１の係合ラック及び前記第２の係合ラックの歯に係合する、レバー
を備える、双対移動嵌合補助式コネクタ。
【請求項２】
前記第１のハウジングは、前記支柱スロット及びガイドスロットを有する可撓性の外側壁を更に備え、前記第１のハウジングの前記ガイドスロットへの前記レバーの挿入を可能にし、前記レバーには、該レバーの離脱を防止するために、前記ガイドスロットに沿って挿入されるとともに挿入後に前記支柱スロット内に位置付けられる、前記カムアームの外側カム面から外方に突出する回動支柱が設けられる、請求項１に記載の双対移動嵌合補助式コネクタ。
【請求項３】
前記第１のハウジングは、前記支柱スロット、支柱ラッチ及びＴ字形のガイドスロットを有する剛性の壁を更に備え、前記剛性の壁の後面からの開口が、前記第１のハウジングの前記ガイドスロット内への前記後面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項１に記載の双対移動嵌合補助式コネクタ。
【請求項４】
前記第１のハウジングは、前記支柱スロット、支柱ラッチ及びＴ字形のガイドスロットを有する剛性の壁を更に備え、前記剛性の壁の正面からの開口が、前記第１のハウジングの前記摺動経路内への前記正面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項１に記載の双対移動嵌合補助式コネクタ。
【請求項５】
間に凹部を有する前記第１の係合ラック及び複数の歯を有する前記第１のピニオンは、前記レバー部材が回転して前記第１のハウジング及び前記第２のハウジングを互いに向かって前記初期位置から前記最終位置まで引くと互いに係合し、前記レバー部材の反対方向の回転によって、前記第１のハウジング及び前記第２のハウジングを前記最終位置から前記初期位置まで押し離す、請求項１に記載の双対移動嵌合補助式コネクタ。
【請求項６】
間に凹部を有する前記第２の係合ラック及び複数の歯を有する前記第２のピニオンは、前記レバー部材が回転して前記第１のハウジング及び前記第２のハウジングを互いに向かって前記初期位置から前記最終位置まで引くと互いに係合し、前記レバー部材の反対方向の回転によって、前記第１のハウジング及び前記第２のハウジングを前記最終位置から前記初期位置まで押し離す、請求項１に記載の双対移動補助式コネクタ。
【請求項７】
前記複数の歯ピニオンにベースプレートが設けられ、前記カムアームの前記歯の構造を補強する、請求項１に記載の双対移動補助式コネクタ。
【請求項８】
前記双対移動補助式コネクタは、予ロック突起及び最終ロック突起を有するハウジングであるレバーロック部材を更に備え、前記予ロック突起は、前記レバーロック部材の双方の側面に位置決めされ、前記最終ロック突起は、前記レバーロック部材の上面に位置決めされる、請求項１に記載の双対移動補助式コネクタ。
【請求項９】
前記第２のピニオンの最後の歯は延長突起を有し、該延長突起は、前記第２のピニオンからの過ったセットの歯及び前記第２のラックが係合すると該第２のラックに当たり、前記レバーが更に操作されることを妨げる、請求項１に記載の双対移動補助式コネクタ。
【請求項１０】
前記カムアームの前記ピニオンの両側は、規則的なピッチ又は不規則なピッチを有する不完全なギアのプロファイルを有する、請求項１に記載の双対移動補助式コネクタ。
【請求項１１】
前記第１のラックの第１の歯は、前記レバーが完全ロック位置から予ロック位置まで回転するときに、該第１のラックの該第１の歯との係合中に前記第１のピニオンの第２の歯が妨げられないことを可能にする丸みを帯びた又は面取りされた縁を有する、請求項１に記載の双対移動補助式コネクタ。
【請求項１２】
双対移動嵌合補助式コネクタであって：
ａ．上面及び底面並びに接続端を有する第１のハウジングであって、前記上面及び前記底面のそれぞれには、第１の単一の係合ボスが設けられ、移動可能な回動座部として支柱スロットがそれぞれ設けられる、第１のハウジング；
ｂ．上面及び底面並びに接続端を有する第２のハウジングであって、前記上面及び前記底面には、第２の単一の係合ボスが設けられる、第２のハウジング；並びに
ｃ．その端にある２つのカムアームに連結する１つのカムアーム又はブリッジを有するレバーであって、前記カムアームは、第１のボス係合側部スロット、及び、第２のボス係合側部スロットの組み合わせを有し、前記カムアームには回動支柱が設けられ、前記第１のハウジング及び前記第２のハウジングが係合した後で、前記第１のハウジングの前記第１の単一の係合ボスは前記支柱スロットから側方にオフセットされ、前記第２のハウジングの前記第２の単一の係合ボスは前記支柱スロットから側方にオフセットされ、該レバーは、該レバーの前記回動支柱が前記第１のハウジング上の前記支柱スロット内で摺動することを可能にすることによって、該コネクタの前記第１のハウジング及び前記第２のハウジングの嵌合及び嵌合解除を補助し、前記レバーは、初期コネクタ嵌合位置から最終コネクタ嵌合位置まで回転する、レバー
を備える、双対移動嵌合補助式コネクタ。
【請求項１３】
前記第１のハウジングは、前記支柱スロット及びガイドスロットを有する可撓性の外側壁を更に備え、前記第１のハウジングの前記ガイドスロットへの前記レバーの挿入を可能にし、前記レバーには、該レバーの離脱を防止するために、前記ガイドスロットに沿って挿入されるとともに挿入後に前記支柱スロット内に位置付けられる、前記カムアームの外側カム面から外方に突出する回動支柱が設けられる、請求項１２に記載の双対移動嵌合補助式コネクタ。
【請求項１４】
前記第１のハウジングは、前記支柱スロット、支柱ラッチ及びＴ字形のガイドスロットを有する剛性の壁を更に備え、前記剛性の壁の後面からの開口が、前記第１のハウジングの前記ガイドスロット内への前記後面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項１２に記載の双対移動嵌合補助式コネクタ。
【請求項１５】
前記第１のハウジングは、前記支柱スロット、支柱ラッチ及びＴ字形のガイドスロットを有する剛性の壁を更に備え、前記剛性の壁の正面からの開口が、前記第１のハウジングの前記摺動経路内への前記正面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項１２に記載の双対移動嵌合補助式コネクタ。
【請求項１６】
前記第１の単一の係合ボスは、前記レバー部材が回転して前記第１のハウジング及び前記第２のハウジングを互いに向かって前記初期位置から前記最終位置まで引くと前記第１のボス係合側部スロットに係合し、前記規定可能な範囲内の前記レバー部材の反対方向の回転によって、前記第１のハウジング及び前記第２のハウジングを前記最終位置から前記初期位置まで押し離す、請求項１２に記載の双対移動嵌合補助式コネクタ。
【請求項１７】
前記第２の単一の係合ボス及び複数の歯を有する前記第２のピニオンは、前記レバー部材が回転して前記第１のハウジング及び前記第２のハウジングを互いに向かって前記初期位置から前記最終位置まで引くと互いに、及び、前記第２のボス係合側部スロットに係合し、前記規定可能な範囲内の前記レバー部材の反対方向の回転によって、前記第１のハウジング及び前記第２のハウジングを前記最終位置から前記初期位置まで押し離す、請求項１２に記載の双対移動補助式コネクタ。
【請求項１８】
前記双対移動補助式コネクタは、予ロック突起及び最終ロック突起を有するハウジングであるレバーロック部材を更に備え、前記予ロック突起は、前記レバーロック部材の双方の側面に位置決めされ、前記最終ロック突起は、前記レバーロック部材の上面に位置決めされる、請求項１２に記載の双対移動補助式コネクタ。
【請求項１９】
双対移動嵌合補助式コネクタであって：
ａ．上面及び底面並びに接続端を有する第１のハウジングであって、前記上面及び前記底面のそれぞれには、第１の単一の係合ボスが設けられ、移動可能な回動座部として支柱スロットがそれぞれ設けられる、第１のハウジング；
ｂ．上面及び底面並びに接続端を有する第２のハウジングであって、前記上面及び前記底面には、第２の単一の係合ボスが設けられる、第２のハウジング；並びに
ｃ．その端にある２つのカムアームに連結する１つのカムアーム又はブリッジを有するレバーであって、前記カムアームは、第１のボス係合後面スロット及び第２のボス係合正面スロットの組み合わせを有し、前記カムアームには回動支柱が設けられ、前記２つのハウジングが係合した後で、前記第１のハウジングの前記第１の単一の係合ボスは前記回動支柱から後方にオフセットされ、前記第２のハウジングの前記第２の単一の係合ボスは前記支柱スロットから前方にオフセットされ、前記レバーは、該レバーの前記回動支柱が前記第１のハウジング上の前記ガイドスロット内で摺動することを可能にすることによって、該コネクタの前記第１のハウジング及び前記第２のハウジングの嵌合及び嵌合解除を補助し、前記レバーは、初期コネクタ嵌合位置から最終コネクタ嵌合位置まで回転する、レバー
を備える、双対移動嵌合補助式コネクタ。
【請求項２０】
前記第１のハウジングは、前記支柱スロット及びガイドスロットを有する可撓性の外側壁を更に備え、前記第１のハウジングの前記ガイドスロットへの前記レバーの挿入を可能にし、前記レバーには、該レバーの離脱を防止するために、前記ガイドスロットに沿って挿入されるとともに挿入後に前記支柱スロット内に位置付けられる、前記カムアームの外側カム面から外方に突出する回動支柱が設けられる、請求項１９に記載の双対移動嵌合補助式コネクタ。
【請求項２１】
前記第１のハウジングは、前記支柱スロット、支柱ラッチ及びＴ字形のガイドスロットを有する剛性の壁を更に備え、前記剛性の壁の後面からの開口が、前記第１のハウジングの前記ガイドスロット内への前記後面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項１９に記載の双対移動嵌合補助式コネクタ。
【請求項２２】
前記第１のハウジングは、前記支柱スロット、支柱ラッチ及びＴ字形のガイドスロットを有する剛性の壁を更に備え、前記剛性の壁の正面からの開口が、前記第１のハウジングの前記摺動経路内への前記正面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項１９に記載の双対移動嵌合補助式コネクタ。
【請求項２３】
前記第１の単一の係合ボスは、前記レバー部材が回転して前記第１のハウジング及び前記第２のハウジングを互いに向かって前記初期位置から前記最終位置まで引くと前記第１のボス係合後面スロットに係合し、前記規定可能な範囲内の前記レバー部材の反対方向の回転によって、前記第１のハウジング及び前記第２のハウジングを前記最終位置から前記初期位置まで押し離す、請求項１９に記載の双対移動嵌合補助式コネクタ。
【請求項２４】
前記第２の単一の係合ボス及び複数の歯を有する前記第２のボス係合正面スロットピニオンは、前記レバー部材が回転して前記第１のハウジング及び前記第２のハウジングを互いに向かって前記初期位置から前記最終位置まで引くと互いに係合し、前記規定可能な範囲内の前記レバー部材の反対方向の回転によって、前記第１のハウジング及び前記第２のハウジングを前記最終位置から前記初期位置まで押し離す、請求項１９に記載の双対移動補助式コネクタ。
【請求項２５】
前記双対移動補助式コネクタは、予ロック突起及び最終ロック突起を有するハウジングであるレバーロック部材を更に備え、前記予ロック突起は、前記レバーロック部材の双方の側面に位置決めされ、前記最終ロック突起は、前記レバーロック部材の上面に位置決めされる、請求項１９に記載の双対移動補助式コネクタ。
【請求項２６】
双対移動嵌合補助式コネクタであって：
ａ．上面及び底面並びに接続端を有する第１のハウジングであって、前記上面及び前記底面のそれぞれには、間に凹部を有する複数の歯を有する係合ボス又はラックが設けられ、移動可能な回動座部として支柱スロットがそれぞれ設けられる、第１のハウジング；
ｂ．上面及び底面並びに接続端を有する第２のハウジングであって、前記上面及び前記底面には、間に凹部を有する複数の歯を有する係合ボス又はラックが設けられる、第２のハウジング；並びに
ｃ．その端にある２つのカムアームに連結する１つのカムアーム又はブリッジを有するレバーであって、前記カムアームは、複数の歯ピニオンを有するピニオン及びボス係合側部スロット又はボス係合正面スロット若しくはボス係合後面スロットそれぞれの組み合わせ、又は、ボス係合正面若しくは後面スロット及びボス係合側部スロットそれぞれの組み合わせを有し、前記カムアームには回動支柱が設けられ、前記ピニオンは前記係合ラックの歯に係合し、又は、前記ハウジングの前記単一の係合ボスは、前記支柱スロットから側方にオフセットされ、又は、前記ハウジングの前記単一の係合ボスは、前記支柱スロットから前方にオフセットされ、又は、前記ハウジングの前記単一の係合ボスは、前記支柱スロットから後方にオフセットされ、前記レバーは、該レバーの前記回動支柱が前記第１のハウジング上の前記ガイドスロット内で摺動することを可能にすることによって、前記コネクタの前記第１のハウジング及び前記第２のハウジングの嵌合及び嵌合解除を補助し、前記レバーは、初期コネクタ嵌合位置から最終コネクタ嵌合位置まで回転する、レバー
を備える、双対移動嵌合補助式コネクタ。
【請求項２７】
前記第１のハウジングは、前記支柱スロット及びガイドスロットを有する可撓性の外側壁を更に備え、前記第１のハウジングの前記ガイドスロットへの前記レバーの挿入を可能にし、前記レバーには、該レバーの離脱を防止するために、前記ガイドスロットに沿って挿入されるとともに挿入後に前記支柱スロット内に位置付けられる、前記カムアームの外側カム面から外方に突出する回動支柱が設けられる、請求項２６に記載の双対移動嵌合補助式コネクタ。
【請求項２８】
前記第１のハウジングは、前記支柱スロット、支柱ラッチ及びＴ字形のガイドスロットを有する剛性の壁を更に備え、前記剛性の壁の後面からの開口が、前記第１のハウジングの前記ガイドスロット内への前記後面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項２６に記載の双対移動嵌合補助式コネクタ。
【請求項２９】
前記第１のハウジングは、前記支柱スロット、支柱ラッチ及びＴ字形のガイドスロットを有する剛性の壁を更に備え、前記剛性の壁の正面からの開口が、前記第１のハウジングの前記摺動経路内への前記正面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項２６に記載の双対移動嵌合補助式コネクタ。
【請求項３０】
前記第１の単一の係合ボス又は前記ボス係合正面若しくは後面スロットの組み合わせは、前記レバー部材が回転して前記第１のハウジング及び前記第２のハウジングを互いに向かって前記初期位置から前記最終位置まで引くと前記第１のボス係合側部スロットに係合し、前記規定可能な範囲内の前記レバー部材の反対方向の回転によって、前記第１のハウジング及び前記第２のハウジングを前記最終位置から前記初期位置まで押し離す、請求項２６に記載の双対移動補助式コネクタ。
【請求項３１】
間に凹部を有する複数の歯を有する前記ラック及び複数の歯を有する前記第２のピニオンは、前記レバー部材が回転して前記第１のハウジング及び前記第２のハウジングを互いに向かって前記初期位置から前記最終位置まで引くと互いに係合し、前記規定可能な範囲内の前記レバー部材の反対方向の回転によって、前記第１のハウジング及び前記第２のハウジングを前記最終位置から前記初期位置まで押し離す、請求項２６に記載の双対移動補助式コネクタ。
【請求項３２】
前記双対移動補助式コネクタは、予ロック突起及び最終ロック突起を有するハウジングであるレバーロック部材を更に備え、前記予ロック突起は、前記レバーロック部材の双方の側面に位置決めされ、前記最終ロック突起は、前記レバーロック部材の上面に位置決めされる、請求項２６に記載の双対移動補助式コネクタ。
【請求項３３】
前記レバーは前記回動支柱に偏向体を有し、前記ガイドスロットは該ガイドスロットに沿って偏向体スロットを有し、それによって、前記レバーの挿入が、偏向して位置合わせされて前記ガイドスロット内にガイドされる、請求項２、１３、２０又は２７のいずれか一項に記載の双対移動嵌合補助式コネクタ。
【請求項３４】
予ロック位置にある前記レバーは、第１のハウジング及び第２のハウジングの係合中に嵌合方向に前記レバーを回転させること又は前記レバーロック部材を押すことによって解放され、前記予ロック突起は、前記レバーが反対方向に回転することを防止し、前記第１のハウジングは、該第１のハウジングが取り外されることを回避するように前記第２のハウジングにラッチされる、請求項８に記載の双対移動補助式コネクタ。
【請求項３５】
予ロック位置にある前記レバーは、第１のハウジング及び第２のハウジングの係合中に嵌合方向に前記レバーを回転させること又は前記レバーロック部材を押すことによって解放され、前記予ロック突起は、前記レバーが反対方向に回転することを防止し、前記第１のハウジングは、該第１のハウジングが取り外されることを回避するように前記第２のハウジングにラッチされる、請求項１８に記載の双対移動補助式コネクタ。
【請求項３６】
予ロック位置にある前記レバーは、第１のハウジング及び第２のハウジングの係合中に嵌合方向に前記レバーを回転させること又は前記レバーロック部材を押すことによって解放され、前記予ロック突起は、前記レバーが反対方向に回転することを防止し、前記第１のハウジングは、該第１のハウジングが取り外されることを回避するように前記第２のハウジングにラッチされる、請求項２５に記載の双対移動補助式コネクタ。
【請求項３７】
予ロック位置にある前記レバーは、第１のハウジング及び第２のハウジングの係合中に嵌合方向に前記レバーを回転させること又は前記レバーロック部材を押すことによって解放され、前記予ロック突起は、前記レバーが反対方向に回転することを防止し、前記第１のハウジングは、該第１のハウジングが取り外されることを回避するように前記第２のハウジングにラッチされる、請求項３２に記載の双対移動補助式コネクタ。
【請求項３８】
前記レバーは、前記予ロック位置から解放され、前記レバーブリッジが前記完全ロック位置において前記レバーロック部材の最終ロックにロックするまで回転する、請求項８に記載の双対移動補助式コネクタ。
【請求項３９】
前記レバーは、前記予ロック位置から解放され、前記レバーブリッジが前記完全ロック位置において前記レバーロック部材の最終ロックにロックするまで回転する、請求項１８に記載の双対移動補助式コネクタ。
【請求項４０】
前記レバーは、前記予ロック位置から解放され、前記レバーブリッジが前記完全ロック位置において前記レバーロック部材の最終ロックにロックするまで回転する、請求項２５に記載の双対移動補助式コネクタ。
【請求項４１】
前記レバーは、前記予ロック位置から解放され、前記レバーブリッジが前記完全ロック位置において前記レバーロック部材の最終ロックにロックするまで回転する、請求項３２に記載の双対移動補助式コネクタ。
【請求項４２】
前記カムアームの前記ピニオンの両側間の距離を調整することによって一体的な歯が構成される、請求項１０に記載の双対移動補助式コネクタ。
【発明の詳細な説明】
【技術分野】
【０００１】
本発明は、電気コネクタに関し、特に、双対移動嵌合補助式レバーを有する電気コネクタに関する。
【背景技術】
【０００２】
多くの場合に、電子部品は、幾つかの電気接点を接続するために嵌合補助組立体を必要とする。従来から、嵌合補助組立体は、ハンドル、及び、第１のコネクタハウジングの側壁から延びて第１のコネクタハウジングの側壁に沿って回転する２つのレバーアームを有するレバー含む。第２のコネクタハウジングが、第１のコネクタハウジング上で摺動し、電気接触が確実になる地点まで包囲する。
【０００３】
Ｔｙｃｏ  Ｅｌｅｃｔｒｏｎｉｃｓ  Ｃｏｒｐに発行された（特許文献１）は、電気コネクタであって：電気接点を受け入れるように構成されている端を有する第１のハウジング及び第２のハウジングであって、対応する電気接点を接合させるように互いに嵌合可能であるように構成されている前端を有し、初期位置と最終位置との間で移動可能であり、初期位置及び最終位置では、対応するコネクタはそれぞれ部分的及び完全に嵌合する、第１のハウジング及び第２のハウジング；レバー部材であって、上記第１のハウジング及び上記第２のハウジングを係合させるとともに、当該レバー部材が或る移動範囲にわたって回転軸を中心に回転すると、上記第１のハウジング及び上記第２のハウジングを上記初期位置と上記最終位置との間で移動させ、上記第１のハウジングに係合する保持孔を有する少なくとも１つのカムアームを含むとともに、上記第２のハウジングに係合するように構成されている第１のギア面及び第２のギア面を有する、レバー部材；並びに、上記第２のハウジングの内部領域内に取り付けられる第１の嵌合支柱及び第２の嵌合支柱であって、当該第１の嵌合支柱は、上記レバー部材が上記移動範囲にわたって回転して上記第１のハウジング及び上記第２のハウジングを上記最終位置に向かって移動させると、上記回転軸から第１の距離において上記第１のギア面に係合し、当該第２の嵌合支柱は、上記レバーが上記移動範囲にわたって反対方向に回転して上記第１のハウジング及び上記第２のハウジングを上記初期位置に向かって移動させると、上記回転軸から第２の距離において上記第２のギア面に係合し、上記第１の距離及び上記第２の距離は異なっている、第１の嵌合支柱及び第２の嵌合支柱を備える、電気コネクタを開示している。
【０００４】
Ｔｙｃｏ  Ｅｌｅｃｔｒｏｎｉｃ  Ｃｏｒｐ．に発行された（特許文献２）は、電気コネクタであって：電気接点を受け入れるように構成されている後端を有する第１のハウジング及び第２のハウジングであって、対応する接点を接合させるように互いに嵌合可能であるように構成されている前端を有し、初期位置と最終位置との間で移動可能であり、初期位置及び最終位置では、対応する電気接点はそれぞれ部分的及び完全に嵌合する、第１のハウジング及び第２のハウジング；レバー部材であって、上記第１のハウジング及び上記第２のハウジングを係合させるとともに、当該レバー部材が或る移動範囲にわたって回転すると、上記第１のハウジング及び上記第２のハウジングを上記初期位置と上記最終位置との間で移動させ、カムアームであって、上記第１のハウジングと係合するように当該カムアームの少なくとも１つの面に設けられる第１の保持要素、及び、上記第２のハウジングと係合するように当該カムアームの周辺面に設けられる第２の保持要素を有するカムアームを含む、レバー部材；並びに、上記第１のハウジングの内部領域内に設けられるとともに回動室を有するレバー保持ブロックであって、回動室は、上記レバー部材が上記移動範囲にわたって回転すると、当該回動室内で上記第１の保持要素の回転を可能にしながら当該第１の保持要素を保持する、レバー保持ブロックを備える、電気コネクタを開示している。
【０００５】
ＦＣＩ  Ａｕｔｏｍｏｔｉｖｅ  Ｈｏｌｄｉｎｇに発行された（特許文献３）は、コネクタ構成であって：第１のコネクタハウジング及び相補的な第２のコネクタハウジング；嵌合補助装置であって、第１のコネクタハウジングに移動可能に取り付け可能な少なくとも１つの作動アームを備え、作動アームは少なくとも１つのカムスロットを備え、第２のコネクタハウジングは、カムスロットに係合する少なくとも１つの対応するカムノーズを備え、それによって、嵌合補助装置の作動時に、カムスロットはカムノーズを第１のコネクタハウジングに向かって引き、第２のコネクタハウジングを第１のコネクタハウジングに向かって移動させることができる、嵌合補助装置を備え；作動アームには、少なくとも１つのブロックウイングが設けられ、少なくとも１つのブロックウイングは少なくとも１つのカムスロットの一部を形成し、第２のコネクタハウジングが第１のコネクタハウジングに少なくとも部分的に嵌合しないときに作動アームに対して移動可能に配置されるとともに嵌合補助装置の作動を防止し、ブロックウイングは、作動アームに比して低減した厚さを有すること、又は、ブロックウイングの少なくとも１つの部分に、作動アームに比して低減した厚さが設けられ、作動アームに対するブロックウイングの曲げを容易にすることを特徴とする、コネクタ構成を開示している。
【０００６】
ＦＣＩ  Ａｍｅｒｉｃａ  Ｔｅｃｈｎｏｌｏｇｙ  Ｉｎｃ．に発行された（特許文献４）は、嵌合コネクタと嵌合するようになっている電気コネクタを開示している。電気コネクタは、ハウジング；ハウジングに回動可能に接続されるワイヤドレスカバー；及び、ワイヤドレスカバーに回動可能に接続されるとともにハウジングに摺動可能に接続される摺動ラッチを含む。摺動ラッチは、嵌合コネクタのロック斜面にスナップロック接続する穴を有する前端を有する。ハウジングは、摺動ラッチがハウジングに対して摺動することに反応してロック斜面に対して摺動ラッチの前端を移動させる少なくとも１つの斜面を含む。
【０００７】
Ｇｕｎｄｅｒｍａｎｎに発行された（特許文献５）は、レバー、並びに、第１のコネクタハウジング及び第２のコネクタハウジングを含む嵌合補助組立体を開示している。各コネクタハウジングは電気接点を含み、第１のコネクタハウジングは、第２のコネクタハウジング内に位置決めされるように構成されている。レバーはハンドル及び２つのアームを有する。アームは、第２のコネクタハウジングの端壁から延び、第２のコネクタハウジングの端壁に沿って回転することができる。アームは、端壁に位置決めされるレバー面を含む。第２のコネクタハウジングは、ハンドルが上端に近接して位置決めされた状態で、第１のコネクタハウジングにわたって、電気接点が更なる挿入に抵抗する地点まで摺動することができる。レバーは次に、第２のコネクタハウジングの後壁に沿って下方に回転し、これによって、レバー面を、第１のコネクタハウジングの端壁に位置付けられるカム面に係合させる。レバー面がカム面に係合し、カム面による抵抗を受けると、第２のコネクタハウジングは、電気接点が完全に嵌合するまで、第１のコネクタハウジングにわたって下方に更に引かれる。
【０００８】
Ｐｏｓｔに発行された（特許文献６）は、（特許文献５）の構造と同様の構造を有する嵌合補助組立体を開示している。しかし、第２のコネクタハウジング及びレバーのアームは、第１のコネクタハウジングに位置決めされる。各アームはギア付きのピニオンを含む。第１のコネクタハウジングは、第１のコネクタハウジングに位置するラックを含み、各ラックは、ピニオンのうちの１つのギア歯に対応する。ハンドルが上方に回転すると、ラック及びピニオンが係合し、第２のコネクタハウジングを下方に引いて第１のコネクタハウジングに入れる。
【０００９】
Ｔｙｃｏ  ｅｌｅｃｔｒｏｎｉｃｓ  Ｃｏｒｐ．に発行された（特許文献７）は、電気接点を受け入れるように構成されている端を有する第１のハウジング及び第２のハウジングを含む電気コネクタを開示している。第１のハウジング及び第２のハウジングは、対応する電気接点を接合させるように互いに嵌合可能であるように構成されており、初期位置と最終位置との間で移動可能である。電気コネクタは、レバー部材も含み、レバー部材は、第１のハウジング及び第２のハウジングに係合するとともに、レバー部材が回転軸を中心に或る移動範囲にわたって回転すると、第１のハウジング及び第２のハウジングを初期位置と最終位置との間で移動させる。レバー部材は、第１のハウジングによって受け入れられる回動支柱、並びに、第１のハウジング及び第２のハウジングにそれぞれ係合する第１のノッチ及び第２のノッチを有するカムアーム含む。第１のハウジングは、回動支柱を回転軸に対して回転可能かつ摺動可能に保持する支柱スロットを含む。第１のハウジングは、第１のノッチに係合する第１のラックを更に有し、第２のハウジングは、第２のノッチに係合する第２のラックを有する。第１のラック及び第２のラック並びにノッチは、レバー部材が移動範囲に沿って回転すると、第１のハウジング及び第２のハウジングを初期位置と最終位置との間で移動させるように協働する。
【００１０】
従来技術、例えば（特許文献７）には幾つかの欠点がある。図１に示されているように、初期位置と最終位置との間で移動すると対応する電気接点を接合させるように互いに嵌合するように構成されている第１のハウジング２及び第２のハウジング３を含む従来の電気コネクタ１が示されている。電気コネクタ１は、第１のハウジング２の外側壁５に保持されるレバー４を含む。レバー４は、回転可能であり、第１のハウジング２及び第２のハウジング３を係合させ、回転軸６を中心に回転すると初期位置と最終位置との間で移動させる。レバー４は、レバー４上のハンドル７、並びに、第１のハウジング２によって受け入れられる一対の離間したカムアーム８、並びに、第１の単一のノッチ９及び第２の単一のノッチ１０を含む。カムアームのそれぞれは、その内側面１２から内方に延びるとともに互いに面する回動支柱１１を有する。第１のハウジング２は、回動支柱１１を回転軸６に対して回転可能かつ摺動可能に保持する支柱スロット１３を含む。第１のハウジング２は、第１の単一のノッチ９に係合する第１のラック１４を更に有し、第２のハウジング２は、第１の単一のノッチ９に係合する第１のラック１４を更に有し、第２のハウジング３は、第２の単一のノッチ１０に係合する第２のラック１５を有する。第１のラック１４、第２のラック１５及びノッチ９、１０は、レバー４が移動範囲に沿って回転すると、第１のハウジング２及び第２のハウジング３を初期位置と最終位置との間で移動させるように協働する。
【００１１】
従来技術の開示を考慮して、回転角度が第１の単一のノッチ及び第２の単一のノッチのみによって制限されることが分かっている。嵌合補助組立体のレバーは組み付けること及び外すことが難しい。また、第２のハウジングの第２のラック、レバーの第１のノッチ及び第２のノッチは弱い。
【００１２】
従来技術では、第１の単一のノッチ及び第２の単一のノッチのみがレバーに構成されている。単一のノッチは、電気的な係合中の動作回転角度１６（図１Ａに示されているように、１７が付された矢印方向）を制限していた。レバー４が広範囲の回転角度１６内で動作することを可能にすることは不可能である。換言すると、従来の方法に比してより長い嵌合距離２０を必要とする、レバー４を嵌合させるより長い係合距離１８を提供することができず、この場合、より大きい嵌合補助式部材を、コネクタの限られたスペースに起因して形成することができない。これは、従来技術の設計が、限られた端子ワイピング長さ用途にのみ好適であることを示している。
【００１３】
単一のノッチ９、１０は、レバーを第１のハウジング２に組み付ける方法も制限している。この設計は、レバー４を第１のハウジングに取着する確実な解決策を提供しない。その限られた動作回転角度１６に起因して、レバーの予係合を補助するために利用可能な余分な動作回転角度１６がない。動作回転角度１６の減少を回避するために、レバー４は、カムアーム８を、互いから外方に反らせることによって第１のハウジング２に取着され、回動支柱１１が、いかなる回転する予係合も伴うことなく支柱スロット１３内に摺動して入ることを可能にする。これは、回動支柱１１の対を外側壁５の支柱スロット１３内に正確にシフトさせなければならないのと同時に、第１の単一のノッチ９を第１のラック１４と位置合わせさせるとともに係合させなければならないため、組み付け又は分解の難しさを増大させる。加えて、レバー４が反らされ過ぎる場合、レバーの形状が変形するか又はハンドル７が破損する可能性がある。コネクタの第２のハウジング３は、Ｕ字形又は半円形のアームキャッチ切欠き部２２を有する矩形の側壁２１を含む。三角形の第２のラック１５は、第２のハウジング３の開口面に近接してアームキャッチの一方の側に形成される。レバーの操作中に、第２のラック１５に高い力が加わる。第２のラック１５の構造強度は、大きいＵ字形及び半円形のアームキャッチ切欠き部２２に起因して弱い。三角形の第２のラック１５は、内方又は外方に容易に変形する可能性がある。ハウジングの離脱は、矩形の側壁２１からの不十分な支持に起因して第２のラック１５が外方に変形すると生じる。この設計では、頑丈な設計がかなり好ましいか、又は、保護特徴部を加えるべきである。
【００１４】
第１のハウジング２の支柱スロット１３は、屈曲用の穴２４間に位置付けられる、互いに向かって内方に延びる、対向して位置合わせされる保持隆起２３を有する。この摩擦保持手法は、柔らかすぎてレバー４をその最終位置に保持することができない。この設計では、レバーが完全に固定されない場合の不完全な動作に起因して、レバーをその初期位置に位置付けるために指示される他のロック方法もない。
【００１５】
回動支柱１１及びカムアーム８は、楕円形の支柱スロット１３に単純に取り付けられて外側壁５にそれぞれ着座する。レバーは、ハンドル７によってクリップのように働き、回動支柱１１が支柱スロット１３に沿って常に着座することを確実にする。カムアーム８と外側壁５とはロックされない。レバー４は、カムアーム８の側に印加される誤操作又は予測不可能な外力に起因して第１のハウジング２から外れる可能性がある。
【先行技術文献】
【特許文献】
【００１６】
【特許文献１】米国特許第６，５５８，１７６号
【特許文献２】米国特許第６，６４４，９９１号
【特許文献３】米国特許第８，２９７，９９３号
【特許文献４】米国特許第７，４６５，１８５号
【特許文献５】米国特許第６，０９９，３３０号
【特許文献６】米国特許第５，８３３，４８４号
【特許文献７】米国特許第６，６３８，０８５号
【発明の概要】
【発明が解決しようとする課題】
【００１７】
したがって、本発明の目的は、上記で述べた欠点を考慮して、単純なレバー組み付け方法及び確実なレバーロック機構を伴う、双対移動嵌合補助式コネクタを提供することであり、レバー、並びに、対応する電気接点を接合させるように互いに嵌合するように構成されている第１のコネクタ及び第２のコネクタの種々のタイプの係合部材によって、コネクタの嵌合及び嵌合解除機構の２倍の移動距離とともに、力を大きく低減することが達成される。
【課題を解決するための手段】
【００１８】
上記で述べた目的を達成するために、双対移動嵌合補助式コネクタは：
ａ．上面及び底面並びに接続端を有する第１のハウジングであって、上面及び底面のそれぞれには、間に凹部を有する複数の歯を有する第１の係合ラックが設けられ、移動可能な回動座部として支柱スロットがそれぞれ設けられる、第１のハウジング；
ｂ．上面及び底面並びに接続端を有する第２のハウジングであって、上面及び底面には、間に凹部を有する複数の歯を有する第２の係合ラックが設けられる、第２のハウジング；並びに
ｃ．その端にある２つのカムアームに連結する１つのカムアーム又はブリッジを有するレバーであって、各カムアームは、複数の歯を有する第１のピニオン、及び、複数の歯を有する第２のピニオンの組み合わせを有し、カムアームには回動支柱が設けられ、レバーは、レバーの回動支柱が第１のハウジング上の支柱スロット内で摺動することを可能にすることによって、コネクタの第１のハウジング及び第２のハウジングの嵌合及び嵌合解除を補助し、レバーは、初期コネクタ嵌合位置から最終コネクタ嵌合位置まで複数のギア歯係合の数に応じた範囲内で回転し、ピニオンは、第１の係合ラック及び第２の係合ラックの歯に係合する、レバー
を備える。
【００１９】
本発明のまた別の更なる目的は、双対移動嵌合補助式コネクタであって：
ａ．上面及び底面並びに接続端を有する第１のハウジングであって、上面及び底面のそれぞれには、第１の単一の係合ボスが設けられ、移動可能な回動座部として支柱スロットがそれぞれ設けられる、第１のハウジング；
ｂ．上面及び底面並びに接続端を有する第２のハウジングであって、上面及び底面には、第２の単一の係合ボスが設けられる、第２のハウジング；並びに
ｃ．その端にある２つのカムアームに連結する１つのカムアーム又はブリッジを有するレバーであって、カムアームは、第１のボス係合側部スロット、及び、第２のボス係合側部スロットの組み合わせを有し、カムアームには回動支柱が設けられ、第１のハウジング及び第２のハウジングが係合した後で、第１のハウジングの第１の単一の係合ボスは支柱スロットから側方にオフセットされ、第２のハウジングの第２の単一の係合ボスは支柱スロットから側方にオフセットされ、レバーは、レバーの回動支柱が第１のハウジング上の支柱スロット内で摺動することを可能にすることによって、コネクタの第１のハウジング及び第２のハウジングの嵌合及び嵌合解除を補助し、レバーは、初期コネクタ嵌合位置から最終コネクタ嵌合位置まで回転する、レバー
を備える、双対移動嵌合補助式コネクタを提供することである。
【００２０】
本発明の別の目的は、双対移動嵌合補助式コネクタであって：
ａ．上面及び底面並びに接続端を有する第１のハウジングであって、上面及び底面のそれぞれには、第１の単一の係合ボスが設けられ、移動可能な回動座部として支柱スロットがそれぞれ設けられる、第１のハウジング；
ｂ．上面及び底面並びに接続端を有する第２のハウジングであって、上面及び底面には、第２の単一の係合ボスが設けられる、第２のハウジング；並びに
ｃ．その端にある２つのカムアームに連結する１つのカムアーム又はブリッジを有するレバーであって、カムアームは、第１のボス係合後面スロット及び第２のボス係合正面スロットの組み合わせを有し、カムアームには回動支柱が設けられ、２つのハウジングが係合した後で、第１のハウジングの第１の単一の係合ボスは回動支柱から後方にオフセットされ、第２のハウジングの第２の単一の係合ボスは支柱スロットから前方にオフセットされ、レバーは、レバーの回動支柱が第１のハウジング上のガイドスロット内で摺動することを可能にすることによって、コネクタの第１のハウジング及び第２のハウジングの嵌合及び嵌合解除を補助し、レバーは、初期コネクタ嵌合位置から最終コネクタ嵌合位置まで回転する、レバー
を備える、双対移動嵌合補助式コネクタを提供することである。
【００２１】
本発明の更なる目的は、双対移動嵌合補助式コネクタであって：
ａ．上面及び底面並びに接続端を有する第１のハウジングであって、上面及び底面のそれぞれには、間に凹部を有する複数の歯を有する係合ボス又はラックが設けられ、移動可能な回動座部として支柱スロットがそれぞれ設けられる、第１のハウジング；
ｂ．上面及び底面並びに接続端を有する第２のハウジングであって、上面及び底面には、間に凹部を有する複数の歯を有する係合ボス又はラックが設けられる、第２のハウジング；並びに
ｃ．その端にある２つのカムアームに連結する１つのカムアーム又はブリッジを有するレバーであって、カムアームは、複数の歯を有するピニオン、ボス係合側部スロット及びボス係合正面又は後面スロットからなる群から選択される２つの係合特徴部を有し、カムアームには回動支柱が設けられ、ピニオンは係合ラックの歯に係合し、又は、側部スロットは、支柱スロットから側方にオフセットされるハウジングの単一の係合ボスに係合し、又は、正面若しくは後面スロットは、支柱スロットから前方若しくは後方にオフセットされるハウジングの単一の係合ボスに係合し、レバーは、レバーの回動支柱が第１のハウジング上のガイドスロット内で摺動することを可能にすることによって、コネクタの第１のハウジング及び第２のハウジングの嵌合及び嵌合解除を補助し、レバーは初期コネクタ嵌合位置から最終コネクタ嵌合位置まで回転する、レバー
を備える、双対移動嵌合補助式コネクタを提供することである。
【００２２】
本発明のまた更なる目的は、双対移動嵌合補助式コネクタであって、第１のハウジングは、支柱スロット及びガイドスロットを有する可撓性の外側壁を更に備え、第１のハウジングのガイドスロットへのレバーの挿入を可能にし、レバーには、レバーの離脱を防止するために、ガイドスロットに沿って挿入されるとともに挿入後に支柱スロット内に位置付けられる、カムアームの外側カム面から外方に突出する回動支柱が設けられる、双対移動嵌合補助式コネクタを提供することである。
【００２３】
本発明の別の主な目的は、双対移動嵌合補助式コネクタであって、第１の複数の歯ピニオン及び第２の複数の歯ピニオンを用いて第１のラック及び係合ラックを嵌合させ、全範囲の回転動作角度を提供する、双対移動嵌合補助式コネクタを提供することである。第２のハウジング及び第１のハウジングの二重直線運動への回転運動の変換は、長い嵌合距離を必要とするコネクタの課題を軽減する、双対移動嵌合補助式コネクタを提供することである。
【００２４】
本発明のまた更なる目的は、双対移動嵌合補助式コネクタであって、ピニオンと係合ラックの第１の歯との間の不一致防止によって、第１のハウジングと第２のハウジングとの間の不正確な嵌合を防止する、双対移動嵌合補助式コネクタを提供することである。
【００２５】
本発明の目的は、接続部が、振動等の運動中であっても良好に接触するように、コネクタを確実に連結することができる双対移動嵌合補助式コネクタを提供することである。
【００２６】
本発明の上述した目的及び利点、並びに、その付加的な目的及び利点は、以下の図面と併せて読めば、好ましい実施形態の詳細な説明の結果として、本明細書において以下でより十分に理解されるであろう。
【図面の簡単な説明】
【００２７】
【図１】（特許文献７）に開示されている嵌合補助組立体の分解等角図である。
【図１Ａ】図１に示されている従来のコネクタの第１のハウジングと第２のハウジングとの係合を示し、レバーは、第１のハウジング及び第２のハウジングが完全に係合する前の初期位置にある。
【図１Ｂ】第１のハウジング及び第２のハウジングが完全に係合した後のレバーの最終位置である。
【図２】本発明の一実施形態による、双対移動嵌合補助式コネクタの第１のハウジングの斜視図である。
【図３】本発明の一実施形態による、双対移動嵌合補助式コネクタの第１のハウジングの斜視図であり、可撓性のルーフが取り外されている。
【図４】本発明の一実施形態による、双対移動嵌合補助式コネクタの第２のハウジングの斜視図である。
【図５】本発明によるコネクタのレバーの斜視図である。
【図６】本発明による、レバーの第１の複数の歯ピニオン及び第２の複数の歯ピニオン、並びに、レバーアームウイング及びピニオンの拡張歯によって結合されるギア歯を示す概略図である。
【図７】第１のラックの第１の歯と、本発明の複数の歯ピニオンを有する丸みを帯びた又は面取りされた縁との係合を示す概略図である。
【図８】本発明によるレバーロック部材の斜視図である。
【図９】本発明によるレバーロック部材におけるレバーのロックを示す断面図であり、レバーはプレロック位置にある。
【図１０】最終ロック位置にあるレバーを示す断面図であり、レバーのブリッジは、本発明によるレバーロック部材にロックされる。
【図１１】レバーの取り付けを示す斜視図であり、レバーは、本発明による第１のハウジングに装着されて固定される。
【図１２】本発明による可撓性ルーフの回動スロット内への偏向回動支柱の挿入を示す概略図である。
【図１３】本発明によるレバーの操作とともに第１のハウジングと第２のハウジングとの間の取り付けを示す斜視図である。
【図１４】本発明によるレバーロック部材及びレバーを示す斜視図である。
【図１５】本発明による、単純なカムプロファイルを有する双対移動レバーのカムプロファイルの別の好ましい実施形態を示す図である。
【図１６】最終ロック位置にあるレバーを示す斜視図であり、レバーのブリッジは本発明によるレバーロック部材にロックされている。
【図１７】本発明による双対移動レバーカムプロファイルの別の好ましい実施形態を示す図である。
【図１８】最終ロック位置にある別のタイプのカムプロファイルを有するレバーを示す斜視図であり、レバーのブリッジは、本発明によるレバーロック部材にロックされている。
【図１９】本発明による双対移動レバーカムプロファイルの別の好ましい実施形態の斜視図である。
【図２０】最終ロック位置にある別のタイプのカムプロファイルを有するレバーを示す斜視図であり、レバーのブリッジは、本発明によるレバーロック部材にロックされている。
【図２１】本発明による双対移動レバーカムプロファイルの別の好ましい実施形態の斜視図である。
【図２２】最終ロック位置にある別のタイプのカムプロファイルを有するレバーを示す斜視図であり、レバーのブリッジは、本発明によるレバーロック部材にロックされている。
【図２３】本発明による双対移動レバーカムプロファイルの別の好ましい実施形態の斜視図である。
【図２４】最終ロック位置にある別のタイプのカムプロファイルを有するレバーを示す斜視図であり、レバーのブリッジは、本発明によるレバーロック部材にロックされている。
【図２５】本発明による双対移動レバーカムプロファイルの別の好ましい実施形態の斜視図である。
【図２６】本発明の別の好ましい実施形態による第１のハウジングの斜視図である。
【図２７】本発明による、レバーがロック位置にある状態の、第１のハウジング及び第２のハウジングの嵌合を示す斜視図である。
【図２８】本発明の別の好ましい実施形態による第１のハウジングの斜視図である。
【図２９】本発明による、レバーがロック位置にある状態の、第１のハウジング及び第２のハウジングの嵌合を示す斜視図である。
【発明を実施するための形態】
【００２８】
図２〜図５を参照すると、本発明は、包括的には、図２に示されているような第１のハウジング３００、図４に示されているような第２のハウジング４００、及び、図５に示されているレバー５００を含む電気コネクタアセンブリ１００に関し、レバー５００は、コネクタ１００の２つのハウジング３００、４００を一緒にしっかりと嵌合させるのに用いられる。概して、コネクタアセンブリ１００は、電気接点を確実に接続させる第１のハウジング３００及び第２のハウジング４００を備える。レバー５００は、レバー５００の予ロック位置からレバー５００の完全ロック位置への双対移動移動を提供することによって、２つのハウジング３００、４００の連結を確実にするために用いられる。図２に示されているように、第１のハウジング３００は、図４に示されている第２のハウジング４００と嵌合可能である。コネクタ１００のケーブル等の接続は、当該技術分野において既知であり、更なる開示は省く。第１のハウジング３００は、上面及び底面並びに接続端を有し、上面及び底面のそれぞれには、間に凹部を有する複数の歯を有する第１の係合ラック４０が設けられ、移動可能な回動座部として支柱スロットがそれぞれ設けられる。図４に示されているように、第２のハウジング４００には、上面及び底面並びに接続端が設けられ、上面及び底面には、間に凹部を有する複数の歯を有する第２の係合ラック６０が設けられる。レバー５００（図５）には、その端にある２つのカムアーム９０に連結する１つのカムアーム又はブリッジ８０が設けられ、各カムアーム９０は、複数の歯を有する第１のピニオン１１１及び複数の歯を有する第２のピニオン１１２の組み合わせであり、カムアーム９０には回動支柱１２０が設けられ、レバー５００は、レバー５００の回動支柱１２０が第１のハウジング３００上の支柱スロット３０１内で摺動することを可能にすることによって、コネクタ１００の第１のハウジング３００及び第２のハウジング４００の嵌合及び嵌合解除を補助し、レバー５００は、初期コネクタ嵌合位置から最終コネクタ嵌合位置まで複数のギア歯係合の数に応じた範囲内で回転し、ピニオンは、第１の係合ラック４０及び第２の係合ラック６０の歯に係合する。
【００２９】
図２において分かるように、本発明による第１のハウジング３００の斜視図が示されている。第１のハウジング３００は、一端が第２のハウジング４００に、その反対端がワイヤ又はケーブルに接続する２つの端を有する実質的に矩形の箱状の形状である。第１のハウジング３００の端には、第２のハウジング４００のワイヤの接点を接続する複数の接触スロットが設けられる。好ましい実施形態では、第１のハウジング３００のより長い外面には、回動スロット１７１を有する可撓性ルーフ２０が設けられる。回動スロット１７１の方向は細長く、スロット１７１の軸は、第１のハウジング３００の嵌合方向の方向である。別の好ましい実施形態では、図２６に示されているように、本発明による可撓性ルーフ２０を有しない第１のハウジング３００が示されている。
【００３０】
本発明によると、また図３を参照して、第１の歯５０及び第２の歯２００を有する、第１のハウジング３００の表面に形成される第１のラック４０が示されている。第１の歯５０と第２の歯２００との間にはノッチ４１が形成されている。図３は、本発明の一実施形態による双対移動嵌合補助式コネクタの第１のハウジングの斜視図を示している。図３に示されているように、可撓性ルーフ２０は、第１のハウジング３００の第１のラック５０を示すように取り外されている。
【００３１】
レバー５００（図５）は、レバー５００の回動支柱１２０が第１のハウジング３００上の支柱スロット１７１内で摺動することを可能にすることによって、コネクタ１００の第１のハウジング３００及び第２のハウジング４００の嵌合及び嵌合解除を補助し、レバー５００は、第１のハウジング３００又は第２のハウジング４００と嵌合する前に予ロック位置まで回転する。これを、図５を参照して説明する。
【００３２】
図４は、本発明の一実施形態による双対移動嵌合補助式コネクタ１００の第２のハウジング４００の斜視図を示している。第２のハウジング４００は、第１のハウジング３００を受け入れるためのレセプタクルである。第２のハウジング４００の表面には、（図１３に示されているように）レバー５００のピニオンに係合する位置に係合部材又は第２のラック６０が設けられている。第１のハウジング３００上の第１のラック４０と同様に、第２のラック６０は第１の歯７０及び第２の歯２１０を含み、ノッチ７５が第１の歯７０と第２の歯２１との間に形成されている。
【００３３】
本発明による第２のハウジング４００の第２の係合ラック６０が図４に示されている。
【００３４】
図５に示されているように、本発明によるコネクタ１００のレバー５００の斜視図が示されている。例として、レバー５００は、その端に２つのカムアーム９０を形成するように延びるブリッジ８０を有する実質的にＵ字形の構造であり、２つのカムアーム９０には第１の複数の歯ピニオン１１１及び第２の複数の歯ピニオン１１２が設けられている。本発明の好ましい実施形態によると、第１の複数のピニオン１１１及び第２の複数のピニオン１１２には、カムアーム９０の外面に回動支柱１２０が設けられている。ピニオン１１１、１１２には、複数の係合歯又はギアが設けられている。回動支柱１２０は、第１のハウジング３００に位置付けられる回動スロット１７１内に位置決めされる。
【００３５】
図６は、本発明による第１の複数の歯ピニオン１１１及び第２の複数の歯ピニオン１１２を示す概略図である。図示のように、第１の複数の歯ピニオン１１１の第１の歯１４０は、第１のハウジング３００の第１のラック４０と第２のハウジング４００の係合ラック６０との間のスペースへのレバー５００の挿入を可能にするように非常に短い突起である。
【００３６】
好ましい実施形態では、図６に示されているように、本発明によるレバーアームウイング２７０及びピニオンの拡張歯２８０によって結合されるギアの斜視図が示されている。この好ましい実施形態では、カスタマイズされるギア２２０が用いられ、レバーアームウイング２７０、並びに、最も高い加えられる力において第１のラック４０及び第２の又は係合ラック６０に係合する、複数の歯ピニオンの拡張歯２８０によって結合される。換言すると、ギア２２０は、第１の複数の歯ピニオン１１１の第１の歯１４０及び第２の複数の歯ピニオン１１２の第３の歯１９０に位置決めされる。
【００３７】
図７は、本発明の第１のラック４０と複数の歯ピニオン１１１との係合を示す概略断面図である。図８は、本発明によるレバーロックハウジング９００の斜視図であり、レバー５００を固定するために最終ロック要素２３０がハウジング９００に形成される。予ロックの過程で、（図５に示されている）レバーの予ロック開口２５０が予ロック要素２４０に係合し、レバー５００の完全なロックでは、レバー５００のレバーブリッジ８０が、レバーロックハウジング９００の最終ロック要素２３０にロックする。
【００３８】
図８を参照すると、本発明によるレバーロック部材９００の斜視図が示されている。図示のように、最終ロック要素２３０はレバーロック部材９００に設けられており、予ロック要素２４０は部材９００の側面に位置決めされている。
【００３９】
図９及び図１０は、本発明によるレバーロック部材９００におけるレバー５００のロックを示す断面図である。図９に示されているように、レバー５００は予ロック位置にあり、この瞬間に、予ロック要素２４０がレバー５００の予ロック開口内に位置決めされる。
【００４０】
レバー５００が最終ロック位置まで移動するときに、第１のハウジング３００は、図９に示されているように、矢印９１０によって示される方向に下方へ移動する。図１０を参照すると、レバー５００は最終ロック位置に位置決めされている。
【００４１】
図１１は、本発明による第１のハウジング３００へのレバー５００の取り付けを示す斜視図である。本発明によると、レバー５００は、回動支柱１２０を、（図２に示されている）挿入ガイド経路２９０を通して可撓性ルーフ２０内に係合させることによって、図１１に示されているような矢印５２０の方向に、第１のハウジング３００内に挿入される。回動支柱１２０の支柱偏向体１３０が、第１のハウジング３００の支柱スロット１７１内へのレバー回動支柱１２０の挿入をガイドする。可撓性ルーフ２０は僅かに変形し、回動支柱１２０は、支柱スロット１７１に入り、第１の複数の歯ピニオン１１１の第１の歯１４０への第１のラック４０の第１の歯５０の係合によりストッパ（図示せず）によってロックされる。
【００４２】
図１２は、本発明による回動スロット１７１内への回動支柱１２０の挿入を示す概略図である。図７に示されているように、カムアーム９０は、回動支柱１２０、及び、回動スロット１７１内へのレバー５００の挿入をガイドするために又は挿入の正確な方向のために用いられる偏向部材１３０を有する。第２の複数の歯ピニオン１１２の第３の歯１９０には、レバー５００と第２のラック６０の歯との不一致を防止するために突起２６０が設けられる。突起２６０は、第１のハウジング３００が第２のハウジング４００内に挿入される前にレバー５００がその予ロック位置から解放されると係合ラック６０に当たって止まる。これによって、レバー５００の第２の複数の歯ピニオン１１２が、不一致なく第２のラック６０に正確に係合することが可能になる。
【００４３】
図１３は、レバー５００とともに、その上に予ロック要素２４０及び最終ロック要素２３０を有するレバーロック部材９００の斜視図である。
【００４４】
図１４は、本発明によるレバー５００の操作とともに、第１のハウジング３００と第２のハウジング４００との取り付けを示す斜視図である。レバー５００を伴う第１のハウジング３００は、第２のハウジング４００内に位置決めされ、レバー５００は、ロック部材９００の最終ロック要素に位置決めされている。本発明によると、他の形態のカムプロファイル双対移動レバーを本発明において用いることができ、例えば、カムのカムプロファイルは、単純なカムプロファイルのレバー又はピニオン及びカムプロファイルを組み合わせた双対移動レバーに簡略化することができる。これらの例は、図１５、図１７、図１９、図２１、図２３及び図２５に示されており、カムプロファイルの種々の組み合わせの双対移動レバーを有するコネクタ１００のそれぞれの斜視図が図１６、図１８、図２０、図２２、図２４及び図２７に示されている。
【００４５】
図１５は、本発明による、側方にオフセットされた単純なボスを有するレバーの斜視図である。図１６は、単純なボスカムプロファイルを有するレバー５００と、第１のハウジング３００上の支柱との係合を示す斜視図である。
【００４６】
図１７は、本発明による双対移動レバーカムプロファイルの別の好ましい実施形態を示している。カムプロファイルは前方及び後方にオフセットされ、図１８は、レバー５００が第１のハウジング上の支柱に係合しているところを示す斜視図である。図１９、図２１、図２３及び図２５は、本発明による双対移動レバーカムプロファイルの別の好ましい実施形態を示す斜視図であり、図２０、図２２、図２４及び図２７は、本発明による、図１９、図２１、図２１及び図２５に示されている異なるカムプロファイルを有するレバーの係合を示す斜視図である。
【００４７】
別の好ましい実施形態では、可撓性ルーフは使用されず、第１のハウジング３００には２つの鉛直スロット２４５、２５５が設けられ、第１の摺動スロット２４５は、レバー５００のカムアーム９０上の回動支柱１２０の摺動スロットとして機能し、他のスロット２５５は、第１のハウジング３００及び第２のハウジング４００が嵌合するときに係合ラック６０の移動を可能にするように、第２のハウジング４００の係合ラック６０を通す開口として機能する。これは、図２６〜図２９から分かり、図２６は、本発明の別の好ましい実施形態による第１のハウジング３００の斜視図である。この場合、可撓性ルーフは利用可能ではなく、回動支柱１２０の挿入のために、第１の摺動スロット２４５が第１のハウジング３００の表面に形成される。図２７は、レバー５００が予ロック位置にある状態の、第１のハウジング３００及び第２のハウジング４００の嵌合を示す斜視図である。図２８は、本発明による別の好ましい実施形態による第１のハウジング３００の斜視図である。図２９は、レバー５００が完全なロック位置に位置決めされていることを示す斜視図であり、この場合、レバー５００のブリッジ８０が、レバーロック部材９００のロック要素２３０によってロックされる。レバー５００がレバーロック部材９００の完全なロック位置にあるとき、第１のハウジング３００及び第２のハウジング４００は、図１４、図１６、図１８、図２０、図２２、図２４、図２７及び図２９に示されているように完全に係合する。
【００４８】
本発明によると、双対移動嵌合補助式コネクタ１００は、第１のハウジング３００、第２のハウジング４００、及び、その端にある２つのカムアームに連結する１つのカムアーム又はブリッジ８０を有するレバーを備え、カムアームは、複数の歯を有するピニオン、ボス係合側部スロット及びボス係合正面又は後面スロットからなる群から選択される２つの係合特徴部を有する。カムアームには回動支柱が設けられ、ピニオンは係合ラックの歯に係合し、又は、側部スロットは、支柱スロットから側方にオフセットされるハウジングの単一の係合ボスに係合し、又は、正面若しくは後面スロットは、支柱スロットから前方若しくは後方にオフセットされるハウジングの単一の係合ボスに係合し、レバーは、レバーの回動支柱が第１のハウジング上のガイドスロット内で摺動することを可能にすることによって、コネクタの第１のハウジング及び第２のハウジングの嵌合及び嵌合解除を補助し、レバーは、初期コネクタ嵌合位置から最終コネクタ嵌合位置まで回転する。
【００４９】
本発明を説明するために特定の実施形態を選択したが、当業者には、添付の特許請求の範囲において規定されるような本発明の範囲から逸脱することなく、種々の変形及び変更を行うことができることが理解されるであろう。例えば、第１のハウジング及び第２のハウジングは、接点を有する箱状の矩形形状として示されているが、ピニオンの歯は、ハウジング上の第１のラック及び係合ラックに嵌合するように変えることができ、回動の形状及び位置を変えることができる。ここで、示されている例は、本明細書において提示される発明の概念から逸脱することなく容易に変更することができることが明らかであろう。例として、コネクタ及びコネクタピンの正確な形状、寸法及びレイアウトは、装着可能なスマート電気コネクタの機能及び性能を依然として達成しながらも変えることができる。したがって、本発明の範囲は、添付の特許請求の範囲及びそれらの均等物のみによって限定されるものとする。
【図２】
2016537778.tif 000003
【図３】
2016537778.tif 000004
【図４】
2016537778.tif 000005
【図５】
2016537778.tif 000006
【図６】
2016537778.tif 000007
【図７】
2016537778.tif 000008
【図８】
2016537778.tif 000009
【図９】
2016537778.tif 000010
【図１０】
2016537778.tif 000011
【図１１】
2016537778.tif 000012
【図１２】
2016537778.tif 000013
【図１３】
2016537778.tif 000014
【図１４】
2016537778.tif 000015
【図１５】
2016537778.tif 000016
【図１６】
2016537778.tif 000017
【図１７】
2016537778.tif 000018
【図１８】
2016537778.tif 000019
【図１９】
2016537778.tif 000020
【図２０】
2016537778.tif 000021
【図２１】
2016537778.tif 000022
【図２２】
2016537778.tif 000023
【図２３】
2016537778.tif 000024
【図２４】
2016537778.tif 000025
【図２５】
2016537778.tif 000026
【図２６】
2016537778.tif 000027
【図２７】
2016537778.tif 000028
【図２８】
2016537778.tif 000029
【図２９】
2016537778.tif 000030
【図１】
2016537778.tif 000031
【図１Ａ】
2016537778.tif 000032
【図１Ｂ】
2016537778.tif 000033
【手続補正書】
【提出日】平成26年1月7日(2014.1.7)
【手続補正１】
【補正対象書類名】特許請求の範囲
【補正対象項目名】全文
【補正方法】変更
【補正の内容】
【特許請求の範囲】
【請求項１】
双対移動嵌合補助式コネクタであって：
ａ．上面及び底面並びに接続端を有する第１のハウジングであって、前記上面及び前記底面のそれぞれには、間に凹部を有する複数の歯を有する第１の係合ラックが設けられ、移動可能な回動座部として支柱スロットがそれぞれ設けられる、第１のハウジング；
ｂ．上面及び底面並びに接続端を有する第２のハウジングであって、前記上面及び前記底面には、間に凹部を有する複数の歯を有する第２の係合ラックが設けられる、第２のハウジング；並びに
ｃ．その端にある２つのカムアームに連結する１つのカムアーム又はブリッジを有するレバーであって、各カムアームは、複数の歯を有する第１のピニオン、及び、複数の歯を有する第２のピニオンを含む複数の歯ギアを有し、前記カムアームには回動支柱が設けられ、該レバーは、該レバーの前記回動支柱が前記第１のハウジング上の前記支柱スロット内で摺動することを可能にすることによって、該コネクタの前記第１のハウジング及び前記第２のハウジングの嵌合及び嵌合解除を補助し、該レバーは、初期コネクタ嵌合位置から最終コネクタ嵌合位置まで複数のギア歯係合の数に応じた範囲内で回転し、前記ピニオンは、前記第１の係合ラック及び前記第２の係合ラックの歯に係合し、前記第１のハウジング及び前記第２のハウジングの双対移動を同時に提供する、レバー
を備える、双対移動嵌合補助式コネクタ。
【請求項２】
前記第１のハウジングは、前記支柱スロット及びガイドスロットを有する可撓性の外側壁を更に備え、前記第１のハウジングの前記ガイドスロットへの前記レバーの挿入を可能にし、前記レバーには、該レバーの離脱を防止するために、前記ガイドスロットに沿って挿入されるとともに挿入後に前記支柱スロット内に位置付けられる、前記カムアームの外側カム面から外方に突出する回動支柱が設けられる、請求項１に記載の双対移動嵌合補助式コネクタ。
【請求項３】
前記第１のハウジングは、前記支柱スロット、支柱ラッチ及びＴ字形のガイドスロットを有する剛性の壁を更に備え、前記剛性の壁の後面からの開口が、前記第１のハウジングの前記ガイドスロット内への前記後面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項１に記載の双対移動嵌合補助式コネクタ。
【請求項４】
前記第１のハウジングは、前記支柱スロット、支柱ラッチ及びＴ字形のガイドスロットを有する剛性の壁を更に備え、前記剛性の壁の正面からの開口が、前記第１のハウジングの前記摺動経路内への前記正面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項１に記載の双対移動嵌合補助式コネクタ。
【請求項５】
間に凹部を有する前記第１の係合ラック及び複数の歯を有する前記第１のピニオンは、前記レバー部材が回転して前記第１のハウジング及び前記第２のハウジングを互いに向かって前記初期位置から前記最終位置まで引くと互いに係合し、前記レバー部材の反対方向の回転によって、前記第１のハウジング及び前記第２のハウジングを前記最終位置から前記初期位置まで押し離す、請求項１に記載の双対移動嵌合補助式コネクタ。
【請求項６】
間に凹部を有する前記第２の係合ラック及び複数の歯を有する前記第２のピニオンは、前記レバー部材が回転して前記第１のハウジング及び前記第２のハウジングを互いに向かって前記初期位置から前記最終位置まで引くと互いに係合し、前記レバー部材の反対方向の回転によって、前記第１のハウジング及び前記第２のハウジングを前記最終位置から前記初期位置まで押し離す、請求項１に記載の双対移動補助式コネクタ。
【請求項７】
前記複数の歯ピニオンにベースプレートが設けられ、前記カムアームの前記歯の構造を補強する、請求項１に記載の双対移動補助式コネクタ。
【請求項８】
前記双対移動補助式コネクタは、予ロック突起及び最終ロック突起を有するレバーロック部材を更に備え、前記予ロック突起は、前記レバーロック部材の双方の側面に位置決めされ、前記最終ロック突起は、前記レバーロック部材の上面に位置決めされる、請求項１に記載の双対移動補助式コネクタ。
【請求項９】
一体的な歯が延長突起を有し、該延長突起は、前記第２のピニオンからの過ったセットの歯及び前記第２のラックが係合すると該第２のラックに当たり、前記レバーが更に操作されることを妨げる、請求項１に記載の双対移動補助式コネクタ。
【請求項１０】
前記複数の歯ギアは、規則的なピッチ又は不規則なピッチを有する不完全なギアのプロファイルを有する、請求項１に記載の双対移動補助式コネクタ。
【請求項１１】
前記第１のラックの第１の歯は、前記レバーが完全ロック位置から予ロック位置まで回転するときに、該第１のラックの該第１の歯との係合中に前記第１のピニオンの第２の歯が妨げられないことを可能にする丸みを帯びた又は面取りされた縁を有する、請求項１に記載の双対移動補助式コネクタ。
【請求項１２】
双対移動嵌合補助式コネクタであって：
ａ．上面及び底面並びに接続端を有する第１のハウジングであって、前記上面及び前記底面のそれぞれには、第１の単一の係合ボスが設けられ、移動可能な回動座部として支柱スロットがそれぞれ設けられる、第１のハウジング；
ｂ．上面及び底面並びに接続端を有する第２のハウジングであって、前記上面及び前記底面には、第２の単一の係合ボスが設けられる、第２のハウジング；並びに
ｃ．その端にある２つのカムアームに連結する１つのカムアーム又はブリッジを有するレバーであって、前記カムアームは、第１のボス係合後面スロット及び第２のボス係合正面スロットの組み合わせを有し、前記カムアームには回動支柱が設けられ、前記２つのハウジングが係合した後で、前記第１のハウジングの前記第１の単一の係合ボスは前記回動支柱から後方にオフセットされ、前記第２のハウジングの前記第２の単一の係合ボスは前記支柱スロットから前方にオフセットされ、前記レバーは、該レバーの前記回動支柱が前記第１のハウジング上の前記ガイドスロット内で摺動することを可能にすることによって、該コネクタの前記第１のハウジング及び前記第２のハウジングの嵌合及び嵌合解除を補助し、該レバーは、初期コネクタ嵌合位置から最終コネクタ嵌合位置まで回転し、前記第１のハウジング及び前記第２のハウジングの双対移動を同時に提供する、レバー
を備える、双対移動嵌合補助式コネクタ。
【請求項１３】
前記第１のハウジングは、前記支柱スロット及びガイドスロットを有する可撓性の外側壁を更に備え、前記第１のハウジングの前記ガイドスロットへの前記レバーの挿入を可能にし、前記レバーには、該レバーの離脱を防止するために、前記ガイドスロットに沿って挿入されるとともに挿入後に前記支柱スロット内に位置付けられる、前記カムアームの外側カム面から外方に突出する回動支柱が設けられる、請求項１２に記載の双対移動嵌合補助式コネクタ。
【請求項１４】
前記第１のハウジングは、前記支柱スロット、支柱ラッチ及びＴ字形のガイドスロットを有する剛性の壁を更に備え、前記剛性の壁の後面からの開口が、前記第１のハウジングの前記ガイドスロット内への前記後面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項１２に記載の双対移動嵌合補助式コネクタ。
【請求項１５】
前記第１のハウジングは、前記支柱スロット、支柱ラッチ及びＴ字形のガイドスロットを有する剛性の壁を更に備え、前記剛性の壁の正面からの開口が、前記第１のハウジングの前記摺動経路内への前記正面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項１２に記載の双対移動嵌合補助式コネクタ。
【請求項１６】
前記第１の単一の係合ボスは、前記レバー部材が回転して前記第１のハウジング及び前記第２のハウジングを互いに向かって前記初期位置から前記最終位置まで引くと前記第１のボス係合後面スロットに係合し、前記レバー部材の反対方向の回転によって、前記第１のハウジング及び前記第２のハウジングを前記最終位置から前記初期位置まで押し離す、請求項１２に記載の双対移動嵌合補助式コネクタ。
【請求項１７】
前記第２の単一の係合ボス及び複数の歯を有する前記第２のボス係合正面スロットピニオンは、前記レバー部材が回転して前記第１のハウジング及び前記第２のハウジングを互いに向かって前記初期位置から前記最終位置まで引くと互いに係合し、前記レバー部材の反対方向の回転によって、前記第１のハウジング及び前記第２のハウジングを前記最終位置から前記初期位置まで押し離す、請求項１２に記載の双対移動補助式コネクタ。
【請求項１８】
前記正面スロット及び前記後面スロットにベースプレートが設けられ、前記カムアームの前記スロットの構造を補強する、請求項１２に記載の双対移動補助式コネクタ。
【請求項１９】
前記双対移動補助式コネクタは、予ロック突起及び最終ロック突起を有するレバーロック部材を更に備え、前記予ロック突起は、前記レバーロック部材の双方の側面に位置決めされ、前記最終ロック突起は、前記レバーロック部材の上面に位置決めされる、請求項１２に記載の双対移動補助式コネクタ。
【請求項２０】
双対移動嵌合補助式コネクタであって：
ａ．上面及び底面並びに接続端を有する第１のハウジングであって、前記上面及び前記底面のそれぞれには、間に凹部を有する複数の歯を有する係合ボス又はラックが設けられ、移動可能な回動座部として支柱スロットがそれぞれ設けられる、第１のハウジング；
ｂ．上面及び底面並びに接続端を有する第２のハウジングであって、前記上面及び前記底面には、間に凹部を有する複数の歯を有する係合ボス又はラックが設けられる、第２のハウジング；並びに
ｃ．その端にある２つのカムアームに連結する１つのカムアーム又はブリッジを有するレバーであって、前記カムアームは、複数の歯ピニオン及びボス係合正面スロット又はボス係合後面スロットからなる２つの係合特徴部を有し、前記カムアームには回動支柱が設けられ、前記ピニオンは前記係合ラックの歯に係合し、前記ボススロットは、前記支柱スロットから前方にオフセットされる前記ハウジングの前記単一の係合ボスに係合し、又は、前記ハウジングの前記単一の係合ボスは、前記支柱スロットから後方にオフセットされ、前記レバーは、該レバーの前記回動支柱が前記第１のハウジング上の前記ガイドスロット内で摺動することを可能にすることによって、前記コネクタの前記第１のハウジング及び前記第２のハウジングの嵌合及び嵌合解除を補助し、前記レバーは、初期コネクタ嵌合位置から最終コネクタ嵌合位置まで回転し、前記第１のハウジング及び前記第２のハウジングの双対移動を同時に提供する、レバー
を備える、双対移動嵌合補助式コネクタ。
【請求項２１】
前記第１のハウジングは、前記支柱スロット及びガイドスロットを有する可撓性の外側壁を更に備え、前記第１のハウジングの前記ガイドスロットへの前記レバーの挿入を可能にし、前記レバーには、該レバーの離脱を防止するために、前記ガイドスロットに沿って挿入されるとともに挿入後に前記支柱スロット内に位置付けられる、前記カムアームの外側カム面から外方に突出する回動支柱が設けられる、請求項２０に記載の双対移動嵌合補助式コネクタ。
【請求項２２】
前記第１のハウジングは、前記支柱スロット、支柱ラッチ及びＴ字形のガイドスロットを有する剛性の壁を更に備え、前記剛性の壁の後面からの開口が、前記第１のハウジングの前記ガイドスロット内への前記後面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項２０に記載の双対移動嵌合補助式コネクタ。
【請求項２３】
前記第１のハウジングは、前記支柱スロット、支柱ラッチ及びＴ字形のガイドスロットを有する剛性の壁を更に備え、前記剛性の壁の正面からの開口が、前記第１のハウジングの前記摺動経路内への前記正面からの前記レバーの挿入を可能にし、前記カムアームの内側カム面から内方に突出するＴ字形の回動支柱を有する前記レバーは、前記回動支柱を、前記ガイドスロットに沿って挿入し、前記支柱ラッチによってロックし、該レバーが離脱することを防止するために挿入後に前記支柱スロット内に位置付けることを可能にする、請求項２０に記載の双対移動嵌合補助式コネクタ。
【請求項２４】
前記第１の単一の係合ボス又はボス係合正面若しくは後面スロットの組み合わせは、前記レバー部材が回転して前記第１のハウジング及び前記第２のハウジングを互いに向かって前記初期位置から前記最終位置まで引くと前記第１のボス係合側部スロットに係合し、前記レバー部材の反対方向の回転によって、前記第１のハウジング及び前記第２のハウジングを前記最終位置から前記初期位置まで押し離す、請求項２０に記載の双対移動補助式コネクタ。
【請求項２５】
間に凹部を有する複数の歯を有する前記ラック及び複数の歯を有する前記第２のピニオンは、前記レバー部材が回転して前記第１のハウジング及び前記第２のハウジングを互いに向かって前記初期位置から前記最終位置まで引くと互いに係合し、前記レバー部材の反対方向の回転によって、前記第１のハウジング及び前記第２のハウジングを前記最終位置から前記初期位置まで押し離す、請求項２０に記載の双対移動補助式コネクタ。
【請求項２６】
前記正面スロット又は前記後面スロット及び複数の歯ピニオンにベースプレートが設けられ、前記カムアームの前記スロット及び前記ピニオンの構造を補強する、請求項２０に記載の双対移動補助式コネクタ。
【請求項２７】
前記双対移動補助式コネクタは、予ロック突起及び最終ロック突起を有するレバーロック部材を更に備え、前記予ロック突起は、前記レバーロック部材の双方の側面に位置決めされ、前記最終ロック突起は、前記レバーロック部材の上面に位置決めされる、請求項２０に記載の双対移動補助式コネクタ。
【請求項２８】
前記レバーは前記回動支柱に偏向体を有し、前記ガイドスロットは偏向体突起を有し、それによって、前記レバーの挿入が、偏向して位置合わせされて前記ガイドスロット内にガイドされる、請求項２、１３又は２１のいずれか一項に記載の双対移動嵌合補助式コネクタ。
【請求項２９】
予ロック位置にある前記レバーは、第１のハウジング及び第２のハウジングの係合中に嵌合方向に前記レバーを回転させること又は前記レバーロック部材を押すことによって解放され、前記予ロック突起は、前記レバーが反対方向に回転することを防止し、前記第１のハウジングは、該第１のハウジングが取り外されることを回避するように前記第２のハウジングにラッチされる、請求項８に記載の双対移動補助式コネクタ。
【請求項３０】
予ロック位置にある前記レバーは、第１のハウジング及び第２のハウジングの係合中に嵌合方向に前記レバーを回転させること又は前記レバーロック部材を押すことによって解放され、前記予ロック突起は、前記レバーが反対方向に回転することを防止し、前記第１のハウジングは、該第１のハウジングが取り外されることを回避するように前記第２のハウジングにラッチされる、請求項１９に記載の双対移動補助式コネクタ。
【請求項３１】
予ロック位置にある前記レバーは、第１のハウジング及び第２のハウジングの係合中に嵌合方向に前記レバーを回転させること又は前記レバーロック部材を押すことによって解放され、前記予ロック突起は、前記レバーが反対方向に回転することを防止し、前記第１のハウジングは、該第１のハウジングが取り外されることを回避するように前記第２のハウジングにラッチされる、請求項２７に記載の双対移動補助式コネクタ。
【請求項３２】
前記レバーは、前記予ロック位置から解放され、前記レバーブリッジが前記完全ロック位置において前記レバーロック部材の最終ロックにロックするまで回転する、請求項８に記載の双対移動補助式コネクタ。
【請求項３３】
前記レバーは、前記予ロック位置から解放され、前記レバーブリッジが前記完全ロック位置において前記レバーロック部材の最終ロックにロックするまで回転する、請求項１９に記載の双対移動補助式コネクタ。
【請求項３４】
前記レバーは、前記予ロック位置から解放され、前記レバーブリッジが前記完全ロック位置において前記レバーロック部材の最終ロックにロックするまで回転する、請求項２７に記載の双対移動補助式コネクタ。
【請求項３５】
前記カムアームの前記ピニオンの両側間の距離を調整することによって一体的な歯が構成される、請求項１０に記載の双対移動補助式コネクタ。
【国際調査報告】
2016537778.tif 000034
2016537778.tif 000035
2016537778.tif 000036
2016537778.tif 000037
2016537778.tif 000038
2016537778.tif 000039